(57)【要約】【課題】  建築構成材に照明を簡単に且つ体裁よく取付けることのできる建築構造体の提供。【解決手段】  建築構成材２を備え、建築構成材２は、本体３と照明ホルダ４と照明パネル５と照明具６とを有し、本体３は、長手方向に溝７を有し、照明具６は照明ホルダ４に取付けてあり、照明ホルダ４は、本体３の溝７内に配置され、溝７の深さ方向に進退自在に設けてあり、照明パネル５は、溝７の底面から離れる方向に移動させた照明ホルダ４と溝７の開口縁部７ａとの間に挟み込んで保持されている。【選択図】      図１
2016084677.tif 000002
【特許請求の範囲】
【請求項１】
建築構成材を備え、建築構成材は、本体と照明ホルダと照明パネルと照明具とを有し、本体は、長手方向に溝を有し、照明具は照明ホルダに取付けてあり、照明ホルダは、本体の溝内に配置され、溝の深さ方向に進退自在に設けてあり、照明パネルは、溝の底面から離れる方向に移動させた照明ホルダと溝の開口縁部との間に挟み込んで保持されていることを特徴とする建築構造体。
【発明の詳細な説明】
【技術分野】
【０００１】
本発明は、照明を取付けた建築構成材を備える建築構造体に関する。
【背景技術】
【０００２】
従来より、手摺の支柱に照明を組み込んだものがあった（例えば、非特許文献１参照。）。かかる従来の照明付き支柱は、支柱の側面を切欠いて照明がのぞく窓を形成すると共に、支柱に照明用の取付孔を形成し、その上で照明を支柱の上端より支柱の中空部内に差し入れ、照明を支柱にネジで固定している。このように従来の照明付き支柱は、支柱を切欠いたり取付孔を開けたりしなければならないため、照明の取付けが簡単ではなく、またネジの頭などが外部に露出するため、体裁も良くなかった。
【先行技術文献】
【特許文献】
【０００３】
【非特許文献１】三協立山アルミ株式会社発行のカタログ「エクステリア 総合カタログ」（カタログＮｏ．ＳＴＸ０２７０Ａ Ｓ．０８．０３−２０００）、２００８年３月、ｐ．７３８−７４６
【発明の概要】
【発明が解決しようとする課題】
【０００４】
本発明は以上に述べた実情に鑑み、建築構成材に照明を簡単に且つ体裁よく取付けることのできる建築構造体の提供を目的とする。
【課題を解決するための手段】
【０００５】
上記の課題を達成するために請求項１記載の発明による建築構造体は、建築構成材を備え、建築構成材は、本体と照明ホルダと照明パネルと照明具とを有し、本体は、長手方向に溝を有し、照明具は照明ホルダに取付けてあり、照明ホルダは、本体の溝内に配置され、溝の深さ方向に進退自在に設けてあり、照明パネルは、溝の底面から離れる方向に移動させた照明ホルダと溝の開口縁部との間に挟み込んで保持されていることを特徴とする。
【発明の効果】
【０００６】
請求項１記載の発明による建築構造体は、建築構成材の本体に長手方向に溝を有し、照明具を取付けた照明ホルダをその溝内に配置して溝の深さ方向に進退自在に設け、溝の底面から離れる方向に移動させた照明ホルダと溝の開口縁部との間に照明パネルを挟み込んで保持したので、本体を切欠いたり孔を開けたりすることなく、照明の取付けが簡単に行える。また、ネジ等が外部に露出しないので、体裁も良い。
【図面の簡単な説明】
【０００７】
【図１】図４のＣ−Ｃ断面図である。
【図２】図４のＡ−Ａ断面図である。
【図３】図４のＢ−Ｂ断面図である。
【図４】（ａ）は図６に示す手摺の支柱の側面図であり、（ｂ）は同支柱の正面図である。
【図５】同支柱の分解斜視図である。
【図６】本発明に係る建築構造体の一実施形態である手摺の正面図である。
【発明を実施するための形態】
【０００８】
以下、本発明の実施の形態を図面に基づいて説明する。図６は、本発明に係る建築構造体の一実施形態であって、手摺１に適用した例を示している。この手摺１は、複数本の支柱２，２，…を地面に間隔をおいて立設し、支柱２，２，…間に上下２本の手摺材８ａ，８ｂがブラケット９を介して架設してある。各支柱２は、前側の側面にＬＥＤを使用した照明１０が長手方向に沿って設けてある。
【０００９】
支柱２は、アルミニウム合金の押出形材よりなる本体３を備え、図２，３に示すように、本体３は横断面の外形が円形になっており、前側の側面に溝７が長手方向に沿って形成してある。溝７は、開口縁部７ａの奥側に扇形に広がった空間部７ｂを有し、空間部７ｂのさらに奥側に一定の幅の溝底部７ｃを有している。照明１０は、図２，４に示すように、支柱２の本体３の中間部の溝７内に取付けてあって、照明１０の上方及び下方においては、図３，４に示すように、目板１１ａ，１１ｂを取付けて溝７を塞いである。
【００１０】
照明１０は、図１，２，５に示すように、照明ホルダ４と照明具６と照明パネル５とで構成される。照明ホルダ４は、アルミニウム合金の押出形材よりなる断面コ字形の長尺材であり、一対の側壁の対向面に係止突起１２が形成されている。照明ホルダ４の上下端部には雌ネジ孔１３が形成され、該雌ネジ孔１３にネジ１４が前方から螺入してある。このネジ１４を締付けたり緩めたりすることで、照明ホルダ４が溝７の深さ方向に進退自在となっている。
照明具６は、図１，２に示すように、多数のＬＥＤを間隔をおいて実装したＬＥＤ基板を、細長いケース内に保持したものである。照明具６は、照明ホルダ４の側壁間に前方から嵌め込んで取付けられ、側壁の係止突起１２が照明具６のケースに係止して、照明具６が外れないように保持される。
照明パネル５は、透光性を有する樹脂パネルで形成され、照明ホルダ４の開口部を塞ぐように、照明ホルダ４の前方に配置される。照明パネル５は、照明ホルダ４の上下端部に設けたネジ１４と重ならないように、全長が照明ホルダ４よりも短くなっている。そして、図２中に実線矢印１５で示すように、当該ネジ１４を締付けてネジ１４の先端を溝７の底面に押し付けると、図中に点線矢印１６で示すように、照明ホルダ４が溝７の底面から離れる方向に移動し、照明パネル５が照明ホルダ４の側壁先端部と溝７の開口縁部７ａとの間に挟み込んで保持される。これにより照明パネル５及び照明ホルダ４は、支柱本体３の溝７内に固定される。
【００１１】
図１，３に示すように、照明１０の上方及び下方の溝７内には、目板１１ａ，１１ｂを取付けるために目板受け１７ａ，１７ｂが取付けてある。目板受け１７ａ，１７ｂは、照明ホルダ４と同一の断面形状のアルミ形材で形成したものであり、溝７の溝底部７ｃに当接して配置され、前方から螺入したネジ２０で溝底部７ｃに固定されている。支柱２下部に取付けた目板受け１７ｂは、照明ホルダ４の高さ方向の位置決めを兼ねるものであり、図１に示すように、目板受け１７ｂの上端に照明ホルダ４の下端を当接させて、照明ホルダ４を位置決めしている。
目板１７ａ，１７ｂは、溝７の開口部を塞ぐ板状部１８と、目板受け１７ａ，１７ｂの側壁間に挿入される一対の脚片１９，１９を有している。目板１７ａ，１７ｂは、一対の脚片１９，１９を目板受け１７ａ，１７ｂの側壁間に前方から挿入すると、脚片１９，１９の先端部が側壁の対向面に設けた係止突起１２に係止して、外れないように保持される。図１に示すように、照明１０の上側に取付けられる目板１１ａは、下端部において脚片１９が切欠かれており、板状部１８の下端部が照明パネル５上部の前方に重なっている。また、照明１０の下側に取付けられる目板１１ｂは、上端部において脚片１９が切欠かれており、板状部１８の上端部が照明パネル５の下部の前方に重なっている。このように、上下の目板１１ａ，１１ｂが照明パネル５と重なっていることで、目板１１ａ，１１ｂと照明パネル５との間に隙間が開くことがなく、目板１１ａ，１１ｂと照明パネル５の間から光が漏れたりすることがない。
【００１２】
次に、本支柱２の施工手順を図５に即して説明する。まず、下側の目板受け１７ｂを支柱上端の小口より溝７内に通し込み、所定の高さ位置で前方からネジ２０を打ち込んで固定する。次に、照明ホルダ４に照明具６を前方から嵌め込んで取付け、照明ホルダ４の前方に照明パネル５を重ね合わせた上で、支柱上端の小口より溝７内に通し込み、先に取付けた目板受け１７ｂに突き当てて位置決めする。次に、照明ホルダ４の下端部に設けた切欠き部２１の下面と照明パネル５の下面を合わせてから（図１参照）、照明ホルダ４の上部と下部に設けたネジ１４を締め込み、照明パネル５を照明ホルダ４と溝７の開口縁部７ａとの間に挟み込んで固定する。次に、上側の目板受け１７ａを支柱上端の小口より溝７内に通し込み、所定の高さ位置で前方からネジ２０を打ち込んで固定する。最後に上下の目板受け１７ａ，１７ｂに目板１１ａ，１１ｂを前方から取付け、照明１０の上方及び下方の溝７を塞ぐ。
【００１３】
以上に述べたように本手摺１の支柱２は、本体３の長手方向に沿って溝７を有し、照明具６を取付けた照明ホルダ４をその溝７内に配置して溝７の深さ方向に進退自在に設け、照明ホルダ４のネジ１４を締めこんで溝７の底面から離れる方向に照明ホルダ４を移動させ、移動させた照明ホルダ４と溝７の開口縁部７ａとの間に照明パネル５を挟み込んで保持したので、支柱２を切欠いたり孔を開けたりすることなく、照明１０の取付けが簡単に行える。また、ネジ等が外部に露出しないので、体裁も良い。照明ホルダ４のネジ１４を緩めれば、照明ホルダ４や照明パネル５を簡単に取り外すことができるので、メンテナンスも容易である。照明１０の取付く範囲を除き、目板１１ａ，１１ｂを取付けて溝７を塞いであるので、すっきりした外観になり、意匠性が向上する。目板１１ａ，１１ｂを照明パネル５の上下端部と重ねることで、目板１１ａ，１１ｂと照明パネル５との間に隙間ができず、光が漏れない。目板受け１７ａ，１７ｂと照明ホルダ４を、同一の断面形状の形材で製作したことで、コストを削減できる。また、照明ホルダ４を目板受け１７ｂに突き当てて位置決めすることで、照明１０の取付けが一層容易になる。
【００１４】
本発明は以上に述べた実施形態に限定されない。本体や照明ホルダ等の断面形状や材質、照明ホルダを溝の深さ方向に移動させる機構等は、適宜変更することができる。照明具は、必ずしもＬＥＤでなくてもよい。本発明は、手摺に限らず、カーポート、車止め、門扉、フェンス等、あらゆる建築構造体に適用することができ、それら建築構造体を構成する建築構成材、例えばカーポートの柱や梁、門柱、車止めのポール等に、本発明の構造により照明を取付けることができる。
【符号の説明】
【００１５】
１  手摺（建築構造体）
２  支柱（建築構成材）
３  本体
４  照明ホルダ
５  照明パネル
６  照明具
７  溝
【図１】
2016084677.tif 000003
【図２】
2016084677.tif 000004
【図３】
2016084677.tif 000005
【図４】
2016084677.tif 000006
【図５】
2016084677.tif 000007
【図６】
2016084677.tif 000008